【手続補正書】
【提出日】平成18年8月9日(2006.8.9)
【手続補正１】
【補正対象書類名】特許請求の範囲
【補正対象項目名】全文
【補正方法】変更
【補正の内容】
【特許請求の範囲】
【請求項１】
スポーツ靴の保持装置及びスポーツ靴を含む構造的に独立した複数のスポーツ用品から成るスポーツ用品複合体のための電子監視システムであって、
（ａ）前記スポーツ靴の保持装置及び前記スポーツ靴内にそれぞれ一体化され、前記ポーツ靴の保持装置及び前記スポーツ靴に配置された少なくとも２つのコード発信器であって、（１）前記保持装置に配置された少なくとも１つの前記コード発信器は、前記保持装置の特性及び／又は設定に関係するデータを含み及び／又は表し、（２）前記スポーツ靴に配置された少なくとも１つの前記コード発信器は、前記スポーツ靴の特性及び／又は設定に関係するデータを含み及び／又は表す、少なくとも２つのコード発信器と、
（ｂ）前記スポーツ靴の保持装置及び前記スポーツ靴内にそれぞれ一体化された前記コード発信器のデータを非接触で検出するように構成され、前記データを解析して、前記ポーツ用靴の保持装置及び前記スポーツ靴が、それらの安全な組合せを成す前記特性及び／又は設定を有するか否かを確認する、少なくとも１つのコントロール装置と、を備える電子監視システム。
【請求項２】
前記コントロール装置は、３ｍの最大検出範囲を有する請求項１に記載の電子監視システム。
【請求項３】
前記コントロール装置は、１ｍの最大検出範囲を有する請求項１に記載の電子監視システム。
【請求項４】
前記保持装置は、板状滑走器具である請求項１に記載の電子監視システム。
【請求項５】
前記コード発信器の少なくとも１つは、他のコード発信器及び／又は前記コントロール装置の少なくとも１つと通信するように形成されている請求項１に記載の電子監視システム。
【請求項６】
前記コントロール装置は、ソフトウェア制御式の市販の携帯コンピュータである請求項１に記載の電子監視システム。
【請求項７】
前記コンピュータは、局地的な又は世界規模のネットワークを介して信号若しくはデータを近距離又は遠距離伝送するための少なくとも１つのインタフェイスを有している請求項６に記載の電子監視システム。
【請求項８】
前記コントロール装置は、いわゆるパームトップ又は携帯電話である請求項１に記載の電子監視システム。
【請求項９】
前記コントロール装置は、人体に着用可能な腕時計の形のコンピュータであり、電源網によりまたは分離した電源により電源が供給される請求項１に記載の電子監視システム。
【請求項１０】
前記コントロール装置は、ＵＭＴＳ−モバイル電話ネットワーク用のソフトウェア制御式の携帯電話である請求項１に記載の電子監視システム。
【請求項１１】
共属関係にあり、若しくは一緒に使用するように決められているスポーツ用品の複数のコード発信器は、他のスポーツ用品群のコードと混同不能なコードを有している請求項１に記載の電子監視システム。
【請求項１２】
少なくとも１つの前記コード発信器は、使用者関係する生理学的データ及び／又は能力関連データを含む及び／又は表す請求項１に記載の電子監視システム。
【請求項１３】
前記コントロール装置の少なくとも１つは、身体に着用可能であり、使用者に関係する生理学的データ及び／又は能力関連データを含有し表す請求項１２に記載の電子監視システム。
【請求項１４】
前記コントロール装置の少なくとも１つは、スポーツ施設への出入り領域に定置に配置されている請求項１に記載の電子監視システム。
【請求項１５】
前記コントロール装置の少なくとも１つは、情報送出のための視覚的及び／又は音響的な装置を有している請求項１に記載の電子監視システム。
【請求項１６】
前記スポーツ用品のうちの少なくとも１つは、情報送出のための視覚的及び／又は音響的な装置を有している請求項１に記載の電子監視システム。
【請求項１７】
前記コード発信器の少なくとも１つは、個人関連データ若しくは所有者データを含有し若しくは表す請求項１に記載の電子監視システム。
【請求項１８】
前記コントロール装置の少なくとも１つは、前記保持装置及び前記スポーツ靴に割当てられた前記コード発信器のデータを調べて、それらが正しく使用されていること及びそれらが一緒に使用されるものに属することを確認する請求項１に記載の電子監視システム。
【請求項１９】
前記コントロール装置の少なくとも１つは、前記保持装置に割当てられた前記コード発信器のデータ、及び使用者又は個人的な使用者側のコード発信器のデータを調べて、それらが正しく使用されていること及びそれらが一緒に使用されるものに属することを確認する請求項１に記載の電子監視システム。
【請求項２０】
前記コントロール装置の少なくとも１つは、公衆通信ネットワークへ及び／又はからデータをロード及び／又はダウンロードするための標準通信インタフェイスを有する請求項１に記載の電子監視システム。
【請求項２１】
前記コード発信器の少なくとも１つのデータは、コードであるか、又は前記コントロール装置の少なくとも１つ及び／又は外部データネットワーク内に記憶されたデータセットのポインタである請求項１に記載の電子監視システム。
【請求項２２】
前記コード発信器のデータは、許可された場所においてのみ確定及び／又は変更することができる請求項１に記載の電子監視システム。
【請求項２３】
システム関連パラメータ又は変化するパラメータ値を検出するために、前記コード発信器の少なくとも１つに接続されたセンサを備える請求項１に記載の電子監視システム。
【請求項２４】
前記センサ（１３）は、前記保持装置の解放力を検出するように構成されている請求項２３に記載の電子監視システム。
【請求項２５】
前記センサは、安全なスキービンディングのＺ値設定を検出するように構成されている請求項２３に記載の電子監視システム。
【請求項２６】
対を成して使用するように設計されたスポーツ用品を含む構造的に別の複数のスポーツ用品から成るスポーツ用品複合体のための電子監視システムであって、
（ａ）前記ポーツ用品の対に割当てられた少なくとも２つのコード発信器であって、前記コード発信器の少なくとも１つは、左側及び／又は右側での使用を意図した信号化がされている少なくとも２つのコード発信器と、
（ｂ）前記コード発信器と少なくとも１つのコントロール装置の間のデータの送信を行い、前記スポーツ用品が意図した側で使用されているかを検出するためのネットワークと、を備える電子監視システム。
【請求項２７】
前記コントロール装置の少なくとも１つは、右側及び／又は左側での使用を意図されたスポーツ用品を識別し、それらが正しく使用されていることを調べる請求項２６に記載の電子監視システム。
【請求項２８】
対を成して使用されるように設計された前記スポーツ用品は板状滑走器具であり、
スポーツ靴に割当てられたコード発信器と、使用者の指示された側での前記板状滑走器具の少なくとも１つの使用を調べる少なくとも１つのコントロール装置と、を備える請求項２６に記載の電子監視システム。
【請求項２９】
前記コントロール装置のコード発信器の少なくとも１つは、変化するデータを定期的な測定を行い、データの少なくとも最新の組をメモリー装置内に保存する請求項２６に記載の電子監視システム。
【請求項３０】
構造的に別の複数のスポーツ用品から成るスポーツ用品複合体のための電子監視システムであって、
（ａ）２つのスポーツ用品にそれぞれ割当てられた少なくとも２つのコード発信器と、
（ｂ）前記コード発信器との間の３０ｍの範囲に亘る通信のために、前記コード発信器と非接触で通信する少なくとも１つのコントロール装置と、を備え、
（１）少なくとも１つのコード発信器及び／又は前記コントロール装置は、可能な通信応答点からの距離を測定するための距離測定システムを有し、
（２）前記コントロール装置は、前記コード発信器が対となる前記スポーツ用品を自動的に検出するのを可能にするプログラム・モードを有する電子監視システム。
【手続補正２】
【補正対象書類名】明細書
【補正対象項目名】００１３
【補正方法】変更
【補正の内容】
【００１３】
この特徴における利点は、電子監視システムによって、少なくとも２つのスポーツ用品を含むスポーツ用品複合体に所属するスポーツ用品が、特性値（コード）発信器により一義的に識別され、若しくは、特性値発信器内に保存されたデータを、スポーツ用品複合体の種々のスポーツ用品に対応させることができ、ひいては、組み合わせることにより１つのシステムとして形成されたこれらのスポーツ用品の共属性又は安全性の点で見て、少なくとも十分に自動化されたコントロールシステム若しくは監視システムの前提条件が提供されることである。或いは、又はこれと組み合わせて、１つのスポーツ用品複合体の少なくとも個々のスポーツ用品の、利用者若しくは所有者に対する所属性を検証することもできる。このようなデータをコントロール装置によって非接触式に検出できることにより、監視システムの使用、若しくは監視自体が取り扱いの上で簡単になる。したがって監視システムの使用者にとっても、スポーツ用品の利用者にとっても、データの検出動作若しくはコントロール動作は複雑でなく迅速に行える。